(57)【特許請求の範囲】
【請求項１】
集水親管の両側面に複数の集水枝管が、水平方向に突出するように接続される集水管の水底敷設方法であって、
前記集水管は、前記集水親管の長手軸方向に沿って複数の集水管ユニットに分割され、
各集水管ユニットには、前記集水親管の両側面に所定数の前記集水枝管を、予め取付けるとともに、
前記集水管の敷設個所の水底面に、受けアンカーを打設設置した後に、下方が開口した凹状のトラス構造の吊枠に前記集水管ユニットを吊り下げ支持して沈設し、
その後に、前記集水親管および集水枝管を前記受けアンカーに緊縛固定することを特徴とする集水管の水底敷設方法。
【請求項２】
前記集水管ユニットは、前記集水親管の両側面に、複数の前記集水枝管が上下方向に揺動移動自在に結合され、
前記吊枠は、前記集水親管を内方に収容する基部吊枠と、前記集水枝管を内方に収容し、前記吊枠基部に上下方向に揺動移動自在に結合される複数の枝状吊枠とを備え、
前記集水管ユニットを吊り下げ支持して水中に沈設する際には、前記集水枝管を前記枝状吊枠とともに上方に移動させて、前記集水親管の上方に垂設状態にするとともに、前記水底面に着底させた後に、前記集水枝管を前記枝状吊枠とともに下方に移動させ、水平状態に拡開させて、前記集水親管に連通接続することを特徴とする請求項１記載の集水管の水底敷設方法。
【請求項３】
前記集水管ユニットは、前記集水親管の両側面に、複数の前記集水枝管が固定結合され、
前記吊枠は、前記集水親管を内方に収容する基部吊枠と、前記集水枝管を内方に収容し、前記吊枠基部に一端が固定される複数の枝状吊枠とを有することを特徴とする請求項１記載の集水管の水底敷設方法。
【請求項４】
前記集水枝管を前記枝状吊枠とともに下方に移動させて、水平状態に拡開させる前に、前記集水親管を前記受けアンカーに緊縛固定することを特徴とする請求項２記載の集水管の水底敷設方法。
【請求項５】
前記受けアンカーは、前記集水親管の両側面に添設される親管用受けアンカーと、前記集水枝管の両側面に添設される枝管用受けアンカーとを備え、
前記親管用および枝管用受けアンカーは、前記集水枝管が水平方向に延設されるようにを拡開させた形状に位置対応させて、予め、前記水底面に打設することを特徴とする請求項１から４のいずれか１項記載の集水管の水底敷設方法。
【請求項６】
前記集水管ユニットは、前記集水親管の端部同士が相互に隣接するように設置され、一対の前記集水親管の間に跨る接続桝を介して、連通接続されることを特徴とする請求項１から５のいずれか１記載の集水管の水底敷設方法。
【請求項７】
前記吊枠基部には、前記親管用受けアンカーに嵌合するガイド部を有することを特徴とする請求項１から６のいずれか１項記載の集水管の水底敷設方法。
【発明の詳細な説明】
【０００１】
【発明の属する技術分野】
この発明は、海水淡水化施設などに用いる集水管の水底敷設方法に関するものである。
【０００２】
【従来の技術】
海水淡水化施設などでは、水底地盤中に集水管を埋設設置して、この集水管を介して海水が取入れられる。このような集水管は、通常、集水親管と、多数の集水枝管とを備え、集水親管の両側面に複数の集水枝管が、集水親管の長手軸と直交するように、水平方向に突設した形状になっている。
【０００３】
ところで、このような集水管を水底に敷設する方法としては、従来、クレーン船で水面上から管体（集水親管ないしは集水枝管）を吊り下げて、床ざらえ（粗均し）した浚渫面の上に、直接設置していた。
【０００４】
図１７には、集水管を敷設する際に、管体１を吊り下げ支持した状態の一例が示されている。同図に示した例では、数ｍ程度の管体１をＵ字状のコンクリートユニット２内に収容して、ワイヤー３により固縛し、吊具４を介して、これをＩ型鋼からなる吊枠５に吊り下げ支持している。
【０００５】
このような管体１の吊り下げ支持では、施工能率を上げるために、吊枠５の長手軸方向に沿って、所定の間隔を隔てて、管体１を内蔵したコンクリートブロック２が複数設けられる。そして、このような状態で、吊枠５が吊りワイヤー６を介して、図示省略のクレーン船の起重機に吊り下げられる。
【０００６】
起重機の操作により浚渫面上に降ろされた管体１は、コンクリートユニット２から取り出され、水中で、集水親管の両側面に、複数の集水枝管が接続され、このような管体１の据付け，調整および管体間の接続作業は、潜水夫が水中作業で行う。
【０００７】
この際に、高さ調整などが必要な場合には、管自体が軽く浮き上がるので、カウンターウエイトとしての機能を持つ受けユニットなどの台座が併用されている。
【０００８】
しかしながら、このような従来の集水管の水底敷設方法には、以下に説明する課題があった。
【０００９】
【発明が解決しようとする課題】
すなわち、上述した従来の敷設方法では、管体１の吊り下げ時に、管体１に無理な力がかからないように、水平を保持するため、または、水中では、管体１が軽量ゆえ、浮力が作用して浮上するので、浮き上がりを防止するために、カウンターウエイト用のコンクリートユニット２などを添設しているが、荷重の均一性を確保するためには、吊枠５に断面剛性の大きなものが必要になる。
【００１０】
また、管体１は、単体での敷設が基本となるので、相互の接続作業が潜水夫の手作業となり、工事の期間が長くなり、海象条件の影響を大きく受けて、実稼働率が低下するなどの問題がある。
【００１１】
さらに、大水深下の水底に敷設する際には、床ざらえの精度が低くなるため、台座を用いて、位置決めと高さ調整とを行うことになるが、この作業も潜水作業がメインとなり、手間と時間がかかり、管体の埋め戻し時などに偏圧が作用して、台座がズレると、その修正に多大の労力と時間がかかっていた。
【００１２】
本発明は、このような従来の問題点に鑑みてなされたものであって、その目的とするところは、施工能率の向上を図ることができる集水管の水底敷設方法を提供することにある。
【００１３】
【課題を解決するための手段】
上記目的を達成するために、本発明は、集水親管の両側面に複数の集水枝管が、水平方向に突出するように接続される集水管の水底敷設方法であって、前記集水管は、前記集水親管の長手軸方向に沿って複数の集水管ユニットに分割され、各集水管ユニットには、前記集水親管の両側面に所定数の前記集水枝管を予め取付けるとともに、前記集水管の敷設個所の水底面に、受けアンカーを打設設置した後に、下方が開口した凹状のトラス構造の吊枠に前記集水管ユニットを吊り下げ支持して沈設し、その後に、前記集水親管および集水枝管を前記受けアンカーに緊縛固定するようにした。
【００１４】
このように構成した集水管の水底敷設方法によれば、集水管は、集水親管の長手軸方向に沿って複数の集水管ユニットに分割されるので、これを吊り下げ支持する際の吊枠は、大きな断面剛性を必要とせず、軽量なトラス構造を採用することができる。
【００１５】
また、各集水管ユニットには、前記集水親管の両側面に所定数の前記集水枝管を予め取付けているので、水中での接続作業も低減し、施工能率の向上が図れる。
【００１６】
さらに、トラス構造の吊枠を用いると、その自重で沈設する際の浮力を打ち消し、沈設する際の制御も容易に行え、しかも、集水管ユニットを吊り下げ支持して沈設し、その後に、集水親管および集水枝管を受けアンカーに緊縛固定するので、台座を用いる場合のように、位置ズレが発生することもない。
【００１７】
本発明の敷設方法では、前記集水管ユニットは、前記集水親管の両側面に、複数の前記集水枝管が上下方向に揺動移動自在に結合され、前記吊枠は、前記集水親管を内方に収容する基部吊枠と、前記集水枝管を内方に収容し、前記吊枠基部に上下方向に揺動移動自在に結合される複数の枝状吊枠とを備え、前記集水管ユニットを吊り下げ支持して水中に沈設する際には、前記集水枝管を前記枝状吊枠とともに上方に移動させて、前記集水親管の上方に垂設状態にするとともに、前記水底面に着底させた後に、前記集水枝管を前記枝状吊枠とともに下方に移動させ、水平状態に拡開させて、前記集水親管に連通接続することができる。
【００１８】
この構成によれば、集水管ユニットを吊り下げ支持して水中に沈設する際には、集水枝管を枝状吊枠とともに上方に移動させて、集水親管の上方に垂設状態にするので、沈設に伴う浮力がより一層低下し、簡単に沈設することができる。
【００１９】
また、本発明の敷設方法では、前記集水管ユニットは、前記集水親管の両側面に、複数の前記集水枝管が固定結合され、前記吊枠は、前記集水親管を内方に収容する基部吊枠と、前記集水枝管を内方に収容し、前記吊枠基部に一端が固定される複数の枝状吊枠とで構成することができる。
【００２０】
さらに、本発明の敷設方法では、前記集水枝管を前記枝状吊枠とともに下方に移動させて、水平状態に拡開させる前に、前記集水親管を前記受けアンカーに緊縛固定することができる。
【００２１】
この構成によれば、集水管ユニットは、水底面に着底させた後に、受けアンカーに集水親管を緊縛固定し、この後に、集水枝管を枝状吊枠とともに下方に移動させて、水平状態に拡開させので、位置ズレが発生しない。
【００２２】
前記受けアンカーは、前記集水親管の両側面に添設される親管用受けアンカーと、前記集水枝管の両側面に添設される枝管用受けアンカーとを備え、前記親管用および枝管用受けアンカーは、前記集水枝管が水平方向に延設されるようにを拡開させた形状に位置対応させて、予め、前記水底面に打設することができる。
【００２３】
前記集水管ユニットは、前記集水親管の端部同士が相互に隣接するように設置され、一対の前記集水親管の間に跨る接続桝を介して、連通接続させることができる。
【００２４】
前記吊枠基部には、前記親管用受けアンカーに嵌合するガイド部を設けることができる。
【００２５】
【発明の実施の形態】
以下、本発明の好適な実施の形態について、添付図面に基づいて詳細に説明する。図１から図１６は、本発明にかかる集水管の水底敷設方法の一実施例を示している。
【００２６】
本実施例の敷設対象となる集水管１０は、図１にその平面状態を示すように、ともに中空円形断面の集水親管１２と、多数の集水枝管１４とを備え、集水親管１２の両側側面に複数の集水枝管１４が、水平方向に突出するように連通接続されている。
【００２７】
集水枝管１４は、集水親管１２の長手軸と、中心軸が直交するように延設され、かつ、集水親管１２の長手軸方向に所定の間隔を隔てて列状に配置されている。
【００２８】
集水管１０は、当該集水管１０の敷設個所の水底面１６に、受けアンカー１８を打設設置した後に、下方が開口した凹状のトラス構造吊枠２０に支持されて吊り下げて沈設設置され、その後、集水親管１２および集水枝管１４を受けアンカー１８に緊縛固定する。
【００２９】
本実施例の場合、集水管１０は、図１に示すように、集水親管１２の長手軸方向に沿って、ほぼ同じ間隔で分断された合計１０個の集水管ユニット１０ａ〜１０ｊに分割されている。
【００３０】
各集水管ユニット１０ａ〜１０ｊは、所定長さの集水親管１２と、この集水親管１２の両側に配置された合計１２本の集水枝管１４とを備えている。各集水管ユニット１０ａ〜１０ｊには、予め、集水親管１２の両側面に、１２本の集水枝管１４が上下方向に揺動移動自在に結合される。
【００３１】
各集水管ユニット１０ａ〜１０ｊにおける集水親管１２と集水枝管１４との結合構造の詳細を図９に示している。同図に示した結合構造では、複数の集水枝管１４は、１本の集水親管１２の側面に、それぞれ上下方向に揺動自在に結合されている。
【００３２】
なお、図９には、集水親管１２の右側面にだけ集水枝管１４が結合されているが、同じ構造で左側面にも集水枝管１４が結合されている。
【００３３】
本実施例の場合、集水枝管１４は、独立したリングが所定の間隔を設けて連続的に配置された可撓性のある中空状の独立リング管であって、固定部１４ａと可動部１４ｂとに分断されている。
【００３４】
固定部１４ａは、長さが比較的短くなっていて、両端が開口しており、集水親管１２の側面に貫通形成された貫通孔２２内に、一端側が挿入され、集水親管１２の内壁に沿うようにして折り返されて、接着剤２４で固定されている。接着剤２４は、貫通孔２２の端縁と固定部１４ａの外側面との間にも介装される。
【００３５】
固定部１４ａの他端と可動部１４ｂの端部とは、隣接配置され、これらの端部間に間に跨るようにして、ゴムなどからなる可撓性スリーブ２５が被覆装着されている。
【００３６】
このように構成した接続構造によれば、集水枝管１４の可動部１４ｂが、可撓性スリーブ２５を弾性変形させることで、図９に仮想線で示すように、上下方向に揺動移動自在に結合されている。
【００３７】
吊枠２０は、図１０にその詳細を示すように、凹状の開口を下にして、その内方に、集水管ユニット１０ａ〜１０ｊの集水親管１２を収容する基部吊枠２０ａと、凹状の開口を下にして、その内方に、集水管ユニット１０ａ〜１０ｊの各集水枝管１４を収容する枝状吊枠２０ｂとを備えている。
【００３８】
複数の枝状吊枠２０ｂは、吊枠基部２０ａにピン機構２６を介して、上下方向に揺動移動自在に結合されている。なお、このピン機構２６の揺動移動の中心は、集水枝管１４の可動部１４ｂが上下方向に揺動移動することを妨げない位置に設定されている。
【００３９】
基部吊枠２０ａおよび枝状吊枠２０ｂ内に収容された集水親管１２と集水枝管１４とは、図１２に示すように、ワイヤー２８を装着することにより、基部吊枠２０ａおよび枝状吊枠２０ｂに離脱可能に係止されている。
【００４０】
また、基部吊枠２０ａの下端には、一対のガイド部２９が対向配置されている。このガイド部２９は、下方に向けて逆ハ字状に傾斜していて、その先端側から順次、後述する親管用受けアンカー１８ａ間に嵌合して、集水管ユニット１０ａ〜１０ｊを沈設する際の、位置決め機能を有している。
【００４１】
集水管ユニット１０ａ〜１０ｊを水底に敷設する際には、まず、図２に示すように、海上作業ヤードにおいて、作業台船３０上で、吊枠２０に集水管ユニット１０ａ〜１０ｊをワイヤー２８で係止する作業が行われる。
【００４２】
次に、図３に示すように、作業台船３０を敷設地点まで曳航し、次いで、図４に示すように、作業台船３０から起重機船３２に移し替える。
【００４３】
このような船上作業の前に、集水管１０の敷設予定箇所の水底面１６上には、海底の浚渫および砕石均しが行われ、受けアンカー１８を打設した後に、均し面上に、図１３に示すように、防砂シート３６が敷設される。
【００４４】
受けアンカー１８は、本実施例の場合には、集水親管１２の両側面に、所定の間隔をおいて添設される親管用受けアンカー１８ａと、集水枝管１４の両側面に、所定の間隔をおいて添設される枝管用受けアンカー１８ｂとを備えている。
【００４５】
親管用受けアンカー１８ａは、集水親管１２の直径とほぼ同じ間隔を隔てて、一対ずつが対向するように打設され、また、枝管用受けアンカー１８ｂは、集水枝管１４の直径とほぼ同じ間隔を隔てて、一対ずつが対向するように打設される。
【００４６】
この場合、親管用および枝管用受けアンカー１８ａ，１８ｂは、集水枝管１４が水平方向に延設されるようにを拡開させた形状に位置対応させて、予め、水底面１６に打設する。
【００４７】
集水管ユニット１０ａ〜１０ｊを起重機船３２の起重機３４により吊り下げ支持して水中に沈設する際には、図４に示すように、集水枝管１４を枝状吊枠２０ｂとともに上方に移動させて、集水親管１２の上方に垂設状態に支持する。
【００４８】
図１１には、この垂設状態に支持する過程の詳細が示されており、集水枝管１４を枝状吊枠２０ｂとともに上方に移動させて、集水親管１２の上方に垂設状態に支持する際には、枝状吊枠２０ｂの外側端に吊ワイヤー３７を係止して、吊ワイヤー３７の他端側を引き上げることにより、枝状吊枠２０ｂをほぼ９０度上方に移動させて起立状態にし、枝状吊枠２０ｂの上端側を起重機３４の受け部３８に係止させて、その状態を保持する。
【００４９】
この場合、吊枠２０の基部吊枠２０ａには、図１２に示すように、吊金具３９を装着して、吊金具３９に結合された吊ワイヤー４０を起重機３４に連結して、吊り下げ支持する。
【００５０】
次に、図５に示すように、起重機３４の操作により、集水管ユニット１０ａ〜１０ｊを吊枠２０とともに、水中に沈設させ、水底面１６に着底させる。この際に、親管用受けアンカー１８ａが沈設位置の基準となり、これにガイド部２９を嵌合させることで、集水管ユニット１０ａ〜１０ｊを正確に所定の位置に着底させることができる。
【００５１】
集水管ユニット１０ａ〜１０ｊが水底面１６上に着底されると、この後に、図６に示すように、集水枝管１４を枝状吊枠２０ｂとともに下方に移動させ、水平状態に拡開させて、集水親管１２に連通接続し、しかる後に、集水親管１２と集水枝管１４とを受けアンカー１８に緊縛固定する。
【００５２】
この緊縛固定の前には、吊枠２０は、集水管ユニット１０ａ〜１０ｊとの係止状態を解除して、集水管ユニット１０ａ〜１０ｊから離脱させ、図７に示すように、枝状吊枠２０ｂの端部を上方側に向けて引き上げて、垂設状態にする。
【００５３】
なお、集水枝管１４と集水親管１２との間は、集水枝管１４が水平状態になると、可撓性スリーブ２５により、固定部１４ａと可動部１４ｂとが連通して、相互に連通されることになるが、この連通状態を強化するために、可撓性スリーブ２５上にバンドなどを捲回してもよい。
【００５４】
集水親管１２は、その両側面に添設される親管用受けアンカー１８ａに緊縛固定されるが、この緊縛固定には、ワイヤーなどの紐状物を用いることもできるが、図１４に示すように、受けアンカー１８ａに予め固設されているブラケット１８ｃを介して、ワンタッチのフック方式や、ベルトのバックル方式のものを好適に用いることができる。
【００５５】
一方、集水枝管１４は、その両面側に添設される枝管用受けアンカー１８ｂに、図１３に示すように、ワイヤー４２を用いて緊縛固定される。なお、実施例の水底敷設方法では、集水管ユニット１０ａ〜１０ｊを水底面１６上に着底させた後の工程は、上述した手順に限る必要はなく、以下に説明する手順も採用することができる。
【００５６】
すなわち、集水枝管１４を枝状吊枠２０ｂとともに下方に移動させて、水平状態に拡開させる前に、集水親管１２を親管用受けアンカー１８ａに緊縛固定し、その後に、水平拡開，吊枠２０の除去，集水枝管１４の受けアンカー１８ｂへの緊縛手順とすることができる。
【００５７】
このような手順によれば、集水管ユニット１０ａ〜１０ｊは、水底面１６に着底させた後に、受けアンカー１８ａに集水親管１２だけを最初に緊縛固定し、この後に、集水枝管１４を枝状吊枠２０ｂとともに下方に移動させて、水平状態に拡開させるので、拡開操作が安定し、かつ、正確に行え、位置ズレが発生しないという作用効果が得られる。
【００５８】
また、本実施例では、吊枠２０をトラス構造としているので、トラスの隙間から手を差し込んで、集水親管１２を親管用受けアンカー１８ａに緊縛固定することができるので、このような手順の採用が可能になる。
【００５９】
以上のような工程は、順次繰り返され、水底面１６上には、集水管ユニット１０が、例えば、図１に示すように、１０ａ〜１０ｊの順に隣接設置されることになる。
【００６０】
この際に、各集水管ユニット１０ａ〜１０ｊは、集水親管１２の端部同士が相互に隣接するように設置され、一対の集水親管１２に跨る接続桝４２を介して、連通接続させる。
【００６１】
図１５に本実施例で用いる接続桝４２の詳細を示しており、同図に示した接続桝４２は、両端が開口した円筒を中心軸上分断した半円状の上および下曲板４２ａ，４２ｂと、円筒状の点検筒４２ｃとを備えている。
【００６２】
上，下曲板４２ａ，４２ｂの内径は、集水親管１２の外径とほぼ同じになっている。点検筒４２ｃは、上曲板４２ａの外面に内部と連通するように固着されていて、集水親管１２に装着された状態では、垂直方向を指向するように設置される。
【００６３】
一対の集水親管１２同士を連通接続する際には、円弧面が上方を向くようにして下曲板４２ｂを水底面１６上に設置し、その内面側に集水親管１２の端面が当接するようにして載置させる。
【００６４】
そして、集水親管１２の上面側から上曲板４２ａを被せて、各曲板４２ａ，４２ｂのフランジ同士をボルトナットなどにより緊結すると、集水親管１２の連通接続が完了する。
【００６５】
なお、この接続桝４２を用いて接続される集水親管１２の端部には、点検筒４２ｃが内部に連通するような切欠が設けられている。
【００６６】
本実施例の場合には、接続桝４２は、６個用いられ、これ以外の集水親管１２同士の接続部分には、図１６に示す接続ユニット４４が用いられる。同図に示した接続ユニット４４は、両端が開口した円筒を中心軸上分断した半円状の上および下曲板４４ａ，４４ｂとを備えている
集水親管１２同士を接続する際の手順は、上述した接続桝４２と実質的に同じ手順で行われる。
【００６７】
以上のようにして、各集水管ユニットユニット１０ａ〜１０ｊの集水親管１２同士の連通接続が完了すると、次に、図８に示すように、集水管１０の上方に、粒度調整した砕石および置換砂４５を投入し、敷き均しを行って、集水管１０の敷設を完了する。なお、図１に符号４６で示した部材は、集水管１０で集められた海水を淡水化施設などに導入するための取水管である。
【００６８】
さて、以上のように構成した集水管の水底敷設方法によれば、集水管１０は、集水親管１２の長手軸方向に沿って複数の集水管ユニット１０ａ〜１０ｊに分割されるので、これを吊り下げ支持する際の吊枠２０は、大きな断面剛性を必要とせず、軽量なトラス構造を採用することができる。
【００６９】
また、各集水管ユニット１０ａ〜１０ｊには、集水親管１２の両側面に所定数の集水枝管１４を予め取付けているので、水中での接続作業も低減士、施工能率の向上が図れる。
【００７０】
さらに、トラス構造の吊枠２０を用いると、沈設する際の浮力が大幅に低減し、沈設する際の制御も容易に行え、しかも、集水管ユニット１０ａ〜１０ｊを吊り下げ支持して沈設し、その後に、集水親管１２および集水枝管１４を受けアンカーに緊縛固定するので、台座ユニットを用いる場合のように、位置ズレが発生することもない。
【００７１】
また、本実施例では、集水管ユニット１０ａ〜１０ｊは、集水親管１２の両側面に、複数の集水枝管１４が上下方向に揺動移動自在に結合され、吊枠２０は、集水親管１２を内方に収容する基部吊枠２０ａと、集水枝管１４を内方に収容し、吊枠基部２０ａに上下方向に揺動移動自在に結合される複数の枝状吊枠２０ｂとを備え、集水管ユニット１０ａ〜１０ｊを吊り下げ支持して水中に沈設する際には、集水枝管１４を枝状吊枠２０ｂとともに上方に移動させて、集水親管１２の上方に垂設状態にするとともに、水底面１６に着底させた後に、集水枝管１４を枝状吊枠２０ｂとともに下方に移動させ、水平状態に拡開させて、集水親管１２に連通接続する。
【００７２】
このため、集水管ユニット１０ａ〜１０ｊを吊り下げ支持して水中に沈設する際には、集水枝管１４を枝状吊枠２０ｂとともに上方に移動させて、集水親管１２の上方に垂設状態にするので、沈設に伴う浮力がより一層低下し、簡単に沈設することができる。
【００７３】
なお、上記実施例では、集水親管１２の両側面に、複数の集水枝管１４が上下方向に揺動移動自在に結合され、吊枠２０は、集水親管１２を内方に収容する基部吊枠２０ａと、集水枝管１４を内方に収容し、吊枠基部２０ａに上下方向に揺動移動自在に結合される複数の枝状吊枠２０ｂとを備えたものを例示したが、本発明の実施は、これに限定されることはなく、集水親管１２の両側面に、複数の集水枝管１４を固定し、吊枠２０は、集水親管１２を内方に収容する基部吊枠２０ａと、集水枝管１４を内方に収容し、吊枠基部２０ａに一端が固定された複数の枝状吊枠２０ｂとで構成することもできる。
【００７４】
【発明の効果】
以上、詳細に説明したように、本発明にかかる集水管の水底敷設方法によれば、施工能率の向上を図ることができる。
【図面の簡単な説明】
【図１】本発明にかかる水底敷設方法が適用される集水管の敷設状態の上面図である。
【図２】本発明にかかる集水管の水底敷設方法の最初の工程を示す説明図である。
【図３】図２に引き続いて行われる工程の説明図である。
【図４】図３に引き続いて行われる工程の説明図である。
【図５】図４に引き続いて行われる工程の説明図である。
【図６】図５に引き続いて行われる工程の説明図である。
【図７】図６に引き続いて行われる工程の説明図である。
【図８】図７に引き続いて行われる工程の説明図である。
【図９】本発明にかかる集水管の水底敷設方法で用いる集水管ユニットの集水親管と集水枝管との接続状態を示す断面図である。
【図１０】本発明にかかる集水管の水底敷設方法で用いる集水管ユニットの詳細図である。
【図１１】図４の要部拡大図である。
【図１２】図１１の要部拡大説明図である。
【図１３】本発明にかかる集水管の水底敷設方法で用いる集水管ユニットを、水底面に設置した状態を示す説明図である。
【図１４】本発明にかかる集水管の水底敷設方法で用いる集水管ユニットの集水親管を、水底面に設置して緊縛する際の説明図である。
【図１５】本発明にかかる集水管の水底敷設方法で用いる集水管ユニットの集水親管同士を連通接続する際の説明図である。
【図１６】本発明にかかる集水管の水底敷設方法で用いる集水管ユニットの集水親管同士を連通接続する際の説明図である。
【図１７】従来の集水管の水底敷設方法の説明図である。
【符号の説明】
１０              集水管
１０ａ〜１０ｊ    集水管ユニット
１２              集水親管
１４              集水枝管
１６              水底面
１８              受けアンカー
１８ａ            親管用受けアンカー
１８ｂ            枝管用受けアンカー
２０              吊枠
２０ａ            基部吊枠
２０ｂ            枝状吊枠
【図１】
0004048786.tif 000002
【図２】
0004048786.tif 000003
【図３】
0004048786.tif 000004
【図４】
0004048786.tif 000005
【図５】
0004048786.tif 000006
【図６】
0004048786.tif 000007
【図７】
0004048786.tif 000008
【図８】
0004048786.tif 000009
【図９】
0004048786.tif 000010
【図１０】
0004048786.tif 000011
【図１１】
0004048786.tif 000012
【図１２】
0004048786.tif 000013
【図１３】
0004048786.tif 000014
【図１４】
0004048786.tif 000015
【図１５】
0004048786.tif 000016
【図１６】
0004048786.tif 000017
【図１７】
0004048786.tif 000018